(57)【要約】【課題】画像形成装置内に蓄積された画像データ及びこの画像データを合成した合成画像データを再出力する際に、再出力時における要求の変更に画像データ毎に対応でき、最適な補正を行う画像形成装置を提供することを目的とする。【解決手段】画像形成装置１００は、原稿を読み取り画像データとする読取り部１０と、画像データを補正する画像補正部２７と、画像データを合成する画像合成部２８とを有する。画像補正部２７は、合成される二つの画像データのうち一方又は両方を補正することにより、この二つの画像データが適正に合成されるように補正し、画像合成部２８は、画像補正部２７により補正された、合成される二つの画像データを合成する。また、画像補正部２７は、画像合成部２８で合成された合成画像データに出力補正を施し、画像データの用途に応じた最適の画像データとする。【選択図】図１
2008017046.tif 000002
【特許請求の範囲】
【請求項１】
原稿を読み取り画像データとする画像読取手段と、画像データを補正する画像補正手段と、複数の画像データを合成する画像合成手段とを有する画像形成装置であって、
前記画像補正手段は、合成される二つの画像データのうち一方又は両方を補正することにより、前記二つの画像データが適正に合成されるように補正し、
前記画像合成手段は、前記画像補正手段により補正された、合成される前記二つの画像データを合成することを特徴とする画像形成装置。
【請求項２】
画像データが格納された格納手段を有し、
前記画像補正手段は、前記画像読取手段により読み取られた画像データを補正し、
前記画像合成手段は、前記格納手段に格納された画像データと、前記画像補正手段により補正された画像データとを合成することを特徴とする請求項１に記載の画像形成装置。
【請求項３】
画像データが格納された格納手段を有し、
前記画像補正手段は、前記格納手段に格納された画像データを補正し、
前記画像合成手段は、前記画像読取手段により読み取られた画像データと、前記画像補正手段により補正された画像データとを合成することを特徴とする請求項１に記載の画像形成装置。
【請求項４】
画像データが格納された格納手段を有し、
前記画像補正手段は、前記格納手段に格納された画像データと、前記画像読取手段により読み取られた画像データとをそれぞれ補正し、
前記画像合成手段は、前記画像補正手段により補正された二つの画像データを合成することを特徴とする請求項１に記載の画像形成装置。
【請求項５】
画像データを出力する出力手段を有し、
前記画像補正手段は、前記画像合成手段により合成された画像データを、前記出力手段により出力できるように補正することを特徴とする請求項１ないし４のいずれか一項に記載の画像形成装置。
【請求項６】
前記画像補正手段は、合成される二つの画像データにおける色空間の補正を行うことを特徴とする請求項１ないし５のいずれか一項に記載の画像形成装置。
【請求項７】
前記画像補正手段は、合成される二つの画像データにおける空間周波数特性の補正を行うことを特徴とする請求項１ないし６のいずれか一項に記載の画像形成装置。
【請求項８】
前記画像補正手段は、合成される二つの画像データにおける解像度の補正を行うことを特徴とする請求項１ないし７のいずれか一項に記載の画像形成装置。
【請求項９】
前記画像補正手段は、合成される二つの画像データにおける濃度の補正を行うことを特徴とする請求項１ないし８のいずれか一項に記載の画像形成装置。
【請求項１０】
前記画像補正手段は、合成される二つの画像データにおける地肌レベルの補正を行うことを特徴とする請求項１ないし９のいずれか一項に記載の画像形成装置。
【請求項１１】
前記画像補正手段は、合成される二つの画像データにおける色の補正を行うことを特徴とする請求項１ないし１０のいずれか一項に記載の画像形成装置。
【発明の詳細な説明】
【技術分野】
【０００１】
本発明は画像データを合成する画像形成装置に関する。
【背景技術】
【０００２】
近年のディジタル化された画像データを取り扱う画像形成装置では、ディジタルの画像データを取り扱う他の装置との親和性が高いため、コピー機能の他に、ファックス機能、スキャナ機能、プリンタ機能などの複数の機能を兼ね備えている。このような画像形成装置では、画像データを画像形成装置内に蓄積しておき、その情報が必要になった場合にこの画像データを再出力するものがある。
【０００３】
このような画像形成装置において、蓄積された画像データを再出力する場合には、画像データが蓄積されてから時間が経過していることが多く、再出力の際に画像データの用途やユーザの要求が変更されることが多く、蓄積された画像データの再出力時にこの変更に対応できない場合がある。
【０００４】
例えば画像形成装置においてコピー機能を使用した際の画像データを後にファクス送信するために再出力する場合などでは、画像データ自体がファックス送信に対応していないデータであったり、対応していても画質が大きく異なっていたりする場合があった。
【０００５】
これを考慮し、蓄積する画像データの画質を統一する画像形成装置がある。例えば特開２００３−２２４７１６号公報（特許文献１）には、他の画像処理装置への転送前に、画像データを予め定められた画像特性に補正する画像処理システムが記載されている。
【特許文献１】特開２００３−２２４７１６号公報
【発明の開示】
【発明が解決しようとする課題】
【０００６】
しかしながら、特許文献１に記載の発明では、蓄積された画像データが常に一定の画像特性の画像データへ補正されるため、画像データの再出力時において、画像データ毎の要求の変更に対応できない。また、画像形成装置に蓄積される画像データを、例えばコンピュータ（以下、ＰＣ）等の外部機器により作成された画像データと合成し、合成画像データとして出力する場合には、合成画像データ毎に最適な補正が必要となる。
【０００７】
本発明は上記の問題点を鑑みて、これを解決すべくなされたものであり、画像形成装置内に蓄積された画像データ及びこれを合成した合成画像データを再出力する際に、再出力時における要求の変更に画像データ毎に対応でき、かつ最適な補正を行う画像形成装置を提供することを目的とする。
【課題を解決するための手段】
【０００８】
上記目的を達成するために、本発明の画像形成装置は以下のような構成とする。
【０００９】
本発明の画像形成装置は、原稿を読み取り画像データとする画像読取手段と、画像データを補正する画像補正手段と、複数の画像データを合成する画像合成手段とを有する画像形成装置であって、前記画像補正手段は、合成される二つの画像データのうち一方又は両方を補正することにより、前記二つの画像データが適正に合成されるように補正し、前記画像合成手段は、前記画像補正手段により補正された、合成される前記二つの画像データを合成する構成とすることができる。
【００１０】
係る構成によれば、画像形成装置内に蓄積された画像データ及びこれを合成した合成画像データを再出力する際に、再出力時における要求の変更に画像データ毎に対応でき、かつ最適な補正を行うことができる。
【００１１】
また、本発明の画像形成装置は、画像データが格納された格納手段を有し、前記画像補正手段は、前記画像読取手段により読み取られた画像データを補正し、前記画像合成手段は、前記格納手段に格納された画像データと、前記画像補正手段により補正された画像データとを合成する構成とすることができる。
【００１２】
また、本発明の画像形成装置は画像データが格納された格納手段を有し、前記画像補正手段は、前記格納手段に格納された画像データを補正し、前記画像合成手段は、前記画像読取手段により読み取られた画像データと、前記画像補正手段により補正された画像データとを合成する構成とすることができる。
【００１３】
また、本発明の画像形成装置は、画像データが格納された格納手段を有し、前記画像補正手段は、前記格納手段に格納された画像データと、前記画像読取手段により読み取られた画像データとをそれぞれ補正し、前記画像合成手段は、前記画像補正手段により補正された二つの画像データを合成する構成とすることができる。
【００１４】
係る構成によれば、画像形成装置内に蓄積された画像データを合成する際に、合成する画像データを個別に補正するので、再出力時における要求の変更に画像データ毎に対応して最適な合成画像データを出力することができる。
【００１５】
また、本発明の画像形成装置は、画像データを出力する出力手段を有し、前記画像補正手段は、前記画像合成手段により合成された画像データを、前記出力手段により出力できるように補正する構成とすることができる。
【００１６】
係る構成によれば、合成した画像データを画像形成装置より出力する際に、画像データの用途に応じた出力方法において最適なデータに補正することができる。
【００１７】
また、前記画像補正手段は、合成される二つの画像データにおける色空間の補正を行う構成とすることができる。
【００１８】
係る構成によれば合成前の二つの画像データの色空間を独立して補正することができる。
【００１９】
また、前記画像補正手段は、合成される二つの画像データにおける空間周波数特性の補正を行う構成とすることができる。
【００２０】
係る構成によれば合成前の二つの画像データの空間周波数特性を独立して補正することができる。
【００２１】
また、前記画像補正手段は、合成される二つの画像データにおける解像度の補正を行う構成とすることができる。
【００２２】
係る構成によれば合成前の二つの画像データの解像度を独立して補正することができる。
【００２３】
また、前記画像補正手段は、合成される二つの画像データにおける濃度の補正を行う構成とすることができる。
【００２４】
係る構成によれば合成前の二つの画像データの濃度を独立して補正することができる。
【００２５】
また、前記画像補正手段は、合成される二つの画像データにおける地肌レベルの補正を行う構成とすることができる。
【００２６】
係る構成によれば合成前の二つの画像データの地肌レベルを独立して補正することができる。
【００２７】
また、前記画像補正手段は、合成される二つの画像データにおける色の補正を行う構成とすることができる。
【００２８】
係る構成によれば合成前の二つの画像データの色を独立して補正することができる。
【発明の効果】
【００２９】
本発明によれば、画像データの再出力時における要求の変更に画像データ毎に対応でき、かつ合成画像データとして出力する場合には、合成画像データ毎に最適な補正を行うことができる。
【発明を実施するための最良の形態】
【００３０】
本発明の画像形成装置は、原稿を読み取り画像データとする画像読取手段と、画像データを補正する画像補正手段と、複数の画像データを合成する画像合成手段とを有する。また、画像形成装置内には、画像読取手段により読み取られた画像データと、画像形成装置の外部から取得された画像データが蓄積されている。画像形成装置は、蓄積された画像データのうち、画像読取手段に読み取られた画像データと、外部より取得された画像データとを合成して出力する。この画像データの合成の際に、画像補正手段はこれら二つの画像データが適正に合成されるように適宜補正する。画像合成手段は、前記画像補正手段により補正された二つの画像データを合成する。そしてこの合成された画像データは、再度画像補正手段により出力補正を施され、画像データの用途に応じた最適の画像データとされて出力される。
【実施例１】
【００３１】
以下に図面を参照して本発明の実施例１について説明する。図１は本発明の画像形成装置１００の全体構成の一例を示す図である。
【００３２】
画像形成装置１００は、読取り部１０、画像処理制御部２０、出力部３０、ハードディスク（以下、ＨＤＤ）４０、操作部５０、通信部６０、設定保持部７０とから構成されている。
【００３３】
画像形成装置１００では、操作部５０が操作されることにより、読取り部１０が紙原稿などを読み取り、画像データとする。この画像データには、画像処理制御部２０において各種の処理が施される。画像処理制御部２０で処理を施された画像データは、出力部３０により印刷出力されても良いし、ＨＤＤ４０に格納されて蓄積されても良い。またこの画像データは、通信部６０より画像形成装置１００の外部に接続された外部機器へ送出されても良い。設定保持部７０には、画像形成装置１００を機能させるための設定やプログラムが保存されている。
【００３４】
以下に上記各部について詳細に説明する。
【００３５】
読取り部１０は、例えば図示しないＣＣＤ光電素子からなるラインセンサＡ／Ｄコンバータと、これらの駆動回路を備えていても良い。読取り部１０では、紙原稿をスキャンすることにより原稿の濃淡情報を取得し、この情報からＲＧＢ各８ビットのディジタルの画像データを生成する。
【００３６】
画像処理制御部２０は、読取り部１０で生成された画像データを出力する際の出力方法に適した補正する処理を施す。画像処理制御部２０は、ＣＰＵ２２、バス制御部２３、画像補正部２６、画像補正部２７、画像合成部２８、メモリ２７とから構成されている。ここで、画像データの出力方法とは、例えば印刷出力や外部装置への出力を示す。
【００３７】
ＣＰＵ２２は、画像形成装置１００全体の制御を司るマイクロプロセッサであり、画像形成装置１００の動作全体及び画像処理制御部２０内の処理を制御する。本実施例ではこのＣＰＵ２２には、ＣＰＵ単体の機能だけでなく、その他の機能も組み込まれた統合型ＣＰＵを使用した。ＣＰＵ２２は、例えば汎用規格Ｉ／Ｆ（interface）との接続機能や、クロスバースイッチを用いたバス接続機能などが統合されていることが好ましい。
【００３８】
バス制御部２３は、画像形成装置１００において画像データや制御コマンド等の各種データのやり取りを行うデータバスを制御し、複数種のバス規格間のブリッジ機能も備える。本実施例のバス制御部２３は、ＣＰＵ２２、画像補正部２６、画像補正部２７、画像合成部２８とはＰＣＩＥｘｐｒｅｓｓバスで、ＨＤＤ４０とはＡＴＡ（AT Attachment）バスで接続されて集積化されている。
【００３９】
メモリ２４は、揮発性のメモリであって、各種処理において一時的にやりとりするデータを記憶するものである。
【００４０】
画像補正部２６は、読取り部１０で生成された画像データが、予め設定された形式又は条件の画像データとなるよう補正を行う。ここで言う予め設定された形式又は条件の画像データとは、例えば出力部３０及び通信部６０の両者において出力可能な画像データである。画像補正部２６で行われる補正としては、例えば画像の明るさを調整するガンマ変換処理、画像データの空間周波数特性を調整するフィルタ処理、ＲＧＢと各色空間の変換を行う色変換処理、画像データの解像度の調整を行う解像度変換処理などである。画像補正部２６で行われる補正についての詳細は後述する。
【００４１】
画像補正部２７は、画像補正部２６で補正された画像データや、通信部６０を介して外部より取得された画像データに対して、これらの画像データが適正に合成されるように補正している。ここでいう適正に合成されることとは、例えば合成後の画像データの画質が、画像補正部２６で補正された画像データにおける色や解像度、濃度、地肌レベルなどに基づく画質と同様の画質となることであっても良い。また、例えば合成後の画像データの画質が、通信部６０を介して外部より取得された画像データにおける色や解像度、濃度、地肌レベルなどに基づく画質と同様の画質となることであっても良い。
【００４２】
また、例えば画像補正部２７は、画像合成部２８で合成された合成画像データに対して、この合成画像データを出力する際の出力補正を行う。画像補正部２７で行われる補正としては、画像補正部２６で行われる各処理の他に、画像データの階調の調整を行う中間調処理がある。画像補正部２７で行われる補正についての詳細は後述する。
【００４３】
画像合成部２８は、画像補正部２７で補正された二つの画像データを合成した合成画像データを生成する。
【００４４】
出力部３０は、画像データを印刷出力する手段であり、プロッタＩ／Ｆ部３２、プロッタ部３４により構成されている。プロッタ部３４は、プロッタＩ／Ｆ部３２を介して画像処理制御部２０より補正された画像データを受けとり、レーザビームを用いた電子写真プロセスにより、画像データを転写紙へ転写する。
【００４５】
ＨＤＤ４０は、例えばデスクトップ型のコンピュータ等にも使用される大容量の記憶装置であり、画像データが格納されて蓄積される。ＨＤＤ４０に蓄積されている画像データは、読取り部１０で読み取られた画像データの他に、例えば通信部６０を介して外部装置や外部メディアから取得された画像データなどであって、標準化された色空間の画像データである。本実施例のＨＤＤ４０は、例えばＡＴＡバス接続のＨＤＤなどが好ましい。
【００４６】
操作部５０は、ユーザが画像形成装置１００の操作を行うための部材であり、例えばＬＣＤ（liquid crystal monitor）などの図示しない表示手段とキースイッチなどとから構成される。この表示手段には、例えば画像形成装置１００の装置状態や操作方法などが表示されても良い。本実施例の操作部５０は、ＰＣＩＥｘｐｒｅｓｓバスによりＣＰＵ２２と接続されていることが好ましい。
【００４７】
通信部６０は、回線Ｉ／Ｆ部６２、外部Ｉ／Ｆ部６４とから構成されている。回線Ｉ／Ｆ部６２は、ＰＣＩＥｘｐｒｅｓｓバスと電話回線を接続するためのものである。この回線Ｉ／Ｆ部６２により、画像形成装置１００は電話回線を介して各種データの通信を行う。例えばＦＡＸ機能などは、この電話回線を用いて外部のＦＡＸ装置とデータの通信を行っている。
【００４８】
外部Ｉ／Ｆ部６４はＰＣＩＥｘｐｒｅｓｓバスと外部装置とを接続するためのものである。画像形成装置１００は、外部Ｉ／Ｆ部６４を介してネットワークなどに接続されて外部装置と各種データの通信を行っても良い。また、画像形成装置１００は、外部Ｉ／Ｆ部６４を介して例えばＳＤカードやＵＳＢメモリなどの外部メディアに接続されて、これらの外部メディアと各種データのやりとりを行っても良い。
【００４９】
設定保持部７０は、Ｓ．Ｂ．（South Bridge）７２とＲＯＭ（Read Only Memory）７４とから構成されている。ＲＯＭ７４は、バスのブリッジ機能を汎用回路化した電子デバイスであるＳ．Ｂ．７２を介して画像処理制御部２０に接続されている。ＲＯＭ７４には、画像形成装置１００を備える各種機能を実現するために、ＣＰＵ２２などで実行されるプログラムなどが格納されている。
【００５０】
以下に本実施例の画像形成装置１００の動作を説明する。
【００５１】
まず始めに、画像形成装置１００における画像データの蓄積動作について説明する。図２は、画像形成装置１００における画像データの蓄積を説明するフローチャートの例である。
【００５２】
本実施例の画像形成装置１００において、ＨＤＤ４０には、読取り部１０により読み取られた画像データと、通信部６０を介して外部より取得された画像データとの二種類の画像データが蓄積される。画像形成装置１００では、この二種類の画像データのそれぞれから選択された画像データを合成する。
【００５３】
以下に読取り部１０により読み取られた画像データが蓄積される場合について説明する。
【００５４】
読取り部１０では、紙原稿などを読み取り画像データとする（Ｓ２１）。Ｓ２１において画像データが読み取られると、この画像データは、画像補正部２６により出力部３０及び通信部６０の両者において出力可能な画像データとなるよう補正される（Ｓ２２）。Ｓ２２における補正についての詳細は後述する。Ｓ２２において補正された画像データは、ＣＰＵ２２により、バス制御部２３を介しＨＤＤ４０へ格納されて蓄積される（Ｓ２３）。ここで、読取り部１０により読み取られ、画像補正部２６により補正されて蓄積された画像データを画像データ１とした。
【００５５】
次に、通信部６０を介して外部より取得された画像データが蓄積される場合について説明する。ＣＰＵ２２は、通信部６０を介して外部装置より画像データが取得されると（Ｓ２５）、この画像データをバス制御部２３を介してＨＤＤ４０へ格納して蓄積する（Ｓ２３）。ここで、通信部６０を介して外部より取得されて蓄積された画像データを画像データ２とした。本実施例の画像データ２は、例えば色空間が標準化された画像データであっても良い。
【００５６】
次に、本実施例のＳ２２における処理の詳細を説明する。図３は、実施例１の画像補正部２６における画像データの補正を説明する図の例である。
【００５７】
画像補正部２６では、読取り部１０で読み取られた画像データに対し、ガンマ変換処理、フィルタ処理、色変換処理、解像度変換処理の順に処理を施して補正する。
【００５８】
まずガンマ変換処理について説明する。画像補正部２６は、ガンマ変換処理において画像データのガンマ特性を予め設定された値に補正する。ここでは、例えばガンマ値＝２．２となるように画像データを補正しても良い。
【００５９】
次にフィルタ処理について説明する。画像補正部２６は、フィルタ処理において読取り部１０の持つ空間周波数特性を予め設定された特性値に補正する。本実施例におけるフィルタ処理では、例えば図４に示すような基準チャートのパターンをスキャンしたときに、線数毎に対して予め定めた空間周波数特性値になるように補正した。尚、図４は基準チャートのパターンの一例を示す図である。
【００６０】
次に色変換処理について説明する。画像補正部２６は、色変換処理において画像データの色空間を、予め設定された色空間へ変換する。本実施例では、予め設定された色空間を規格化された色空間の一つであるＡｄｏｂｅＲＧＢとし、読取り部１０で読み取られた画像データの色空間をＡｄｏｂｅＲＧＢに変換する。尚このとき、ここで設定される色空間はＡｄｏｂｅＲＧＢに限定されるものではなく、階調段差の問題が発生せず、かつクリップや圧縮がかからない程度の大きさの色空間であれば良い。
【００６１】
次に解像度変換処理について説明する。画像補正部２６では、解像度変換処理において画像データの解像度を予め設定された値に変換する。本実施例では、予め設定された解像度を６００ｄｐｉとし、読取り部１０により読み取られた画像データの解像度を６００ｄｐｉに変換する。
【００６２】
画像補正部２６では、このようにして読取り部１０で読み取られた画像データを出力部３０及び通信部６０の両者において出力可能な画像データ１となるように補正している。
【００６３】
次に、本発明の画像形成装置１００における特徴的な動作である画像データの合成と、合成された合成画像データの出力について説明する。
【００６４】
画像形成装置１００では、読取り部１０により読み取られ、画像補正部２６で補正された画像データ１と、通信部６０を介して外部から取得された画像データ２を適宜補正して合成し、この合成画像データを生成する。この合成画像データは、画像補正部２７により出力補正された後、画像形成装置１００より出力される。
【００６５】
図５は画像形成装置１００における画像データの合成と、合成画像データの出力を説明するフローチャートの一例である。
【００６６】
画像形成装置１００では、図２のＳ２３においてＨＤＤ４０に画像データ１と画像データ２が蓄積されている。画像形成装置１００において、複数の画像データを合成して再出力する操作がなされた場合（Ｓ４１）、ＣＰＵ２２はこの指示をうけて、画像処理制御部２０において画像データの合成処理を開始する。
【００６７】
尚このとき操作部５０には、例えばＨＤＤ４０内に蓄積された画像データ１と画像データ２のそれぞれの一覧などがユーザに対して閲覧可能に表示されても良い。そして、ユーザは、操作部５０において、この一覧から合成される画像データを複数選択することができても良い。尚、本実施例では合成される画像データは、画像データ１と画像データ２の中からそれぞれ１つずつ、合計二つの画像データとした。
【００６８】
ＣＰＵ２２は、操作部５０においてユーザに選択された二つの画像データを、バス制御部２３を介してＨＤＤ４０より読み出す。そして、画像補正部２７は、この読み出された二つの画像データを補正する（Ｓ４２）。Ｓ４２における処理の詳細は後述する。
【００６９】
Ｓ４２において補正された二つの画像データは、画像合成部２８において合成されて合成画像データとなる（Ｓ４３）。Ｓ４３における合成処理では、例えば一つの画像データにもう一つの画像データが上書きされて合成画像データとされても良い。この合成画像データは、出力時に再度画像補正部２７において出力補正され、合成画像データの用途に合致した画像データに補正される（Ｓ４４）。Ｓ４４における処理の詳細は後述する。Ｓ４４において出力補正された合成画像データが、画像形成装置１００より出力される（Ｓ４５）。
【００７０】
尚ここで、画像形成装置１００は、Ｓ４１において画像データの合成の操作がなされず、選択された画像データの再出力のみの操作であった場合、図２のＳ２３において蓄積された画像データをそのまま出力しても良いし、出力前にＳ４４における出力補正のみを行ってから出力しても良い。
【００７１】
このように、画像形成装置１００において、蓄積された画像データの合成及び再出力される画像データ毎に補正を行うようにすれば、各画像データに対して再出力時における要求の変更に対応した補正を行うことができる。また、合成画像データとして出力する場合には、合成画像データ毎に最適な補正を行うことができる。
【００７２】
次に本実施例のＳ４２における処理の詳細を説明する。図６は、実施例１の画像補正部２７における画像データの補正を説明する図の例である。
【００７３】
Ｓ４２において画像補正部２７が行う処理として、画像データ１を補正して画像データ２と合わせる処理、画像データ２を補正して画像データ１へ合わせる処理、画像データ１と画像データ２をそれぞれ補正して、両者を合わせる処理とがある。また、画像データ１及び画像データ２の補正としては、色空間の調整、空間周波数特性の補正、解像度の補正、濃度の補正、地肌レベルの補正、色の補正などがある。
【００７４】
本実施例では、画像データ２の色空間を補正して画像データ１と合わせる補正を行う。
【００７５】
画像データ１は、図２のＳ２２において色空間をＡｄｏｂｅＲＧＢ、解像度を６００ｄｐｉに補正されている。よって、画像補正部２７は、Ｓ４２において画像データ２の色空間をＡｄｏｂｅＲＧＢ色空間に変更する補正を行う。
【００７６】
この色空間の補正により、画像データ２は画像データ２Ａとなる。この画像データ２Ａは、画像補正部２７で補正された後一端ＨＤＤ４０に格納されても良い。
【００７７】
ＨＤＤ４０に格納された画像データ１と画像データ２Ａは、ＣＰＵ２２によりＨＤＤ４０からメモリ２４上に読み出され、Ｓ４３において画像合成部２８により合成される。尚、本実施例では、Ｓ４３の合成処理において、画像データ１の上に画像データ２Ａを上書きして合成するものとした。
【００７８】
次に本実施例のＳ４４における処理の詳細を説明する。図７は、実施例１の画像補正部２７における合成画像データの出力補正を説明する図の例である。
【００７９】
画像合成部２７における出力補正では、フィルタ処理、色変換処理、解像度変換処理、ガンマ変換処理、中間調処理の順に補正が行われる。尚、以下の説明では、合成画像データが出力部３０より印刷出力される場合の出力補正について説明する。
【００８０】
フィルタ処理では、例えば合成画像データを出力部３０より出力する場合に、合成画像データの再現性が向上するように鮮鋭性やＳＮ比を調整する。具体的には、例えば合成画像データが文書データであった場合には、文字をくっきりと再現するために鮮鋭化処理を行っても良い。また、合成画像データが写真などであった場合には、滑らかに階調性を表現するために平滑化処理を行っても良い。
【００８１】
色変換処理では、ＡｄｏｂｅＲＧＢの色空間を、出力部３０に対応した色空間であるＣＭＹＫ色空間に変換する。この変換処理において、画像補正部２７は、例えばユーザにより設定された彩度も合わせて調整を行っても良い。
【００８２】
解像度変換処理では、ＣＭＹＫ色空間に変換された合成画像データの解像度を出力部３０の性能に合わせた解像度に変換する。本実施例では、合成画像データの解像度は出力部３０の性能と一致しているため、ここでは解像度の変換は行わない。
【００８３】
ガンマ変換では、ＣＭＹＫ色空間に変換された合成画像データのガンマ特性を出力部３０の特性に合わせて調整する。
【００８４】
中間調処理では、ＣＭＹＫ色空間に変換された合成画像データに対し、出力部３０の階調処理能力に基づいた中間調処理を行う。例えば合成画像データがＣＭＹＫ各８ビットの画像データとしたとき、本実施例では、この合成画像データをＣＭＹＫ各２ビットとし、擬似中間調処理の一つである誤差拡散法を用いても良い。
【００８５】
このように、画像データ１と画像データ２Ａが合成された合成画像データは、出力補正が施された画像データ３となる。画像データ３が、画像形成装置１００から出力される画像データとなる。
【００８６】
このように、合成画像データの出力時に必要に出力補正を行うことで、合成画像データの出力方法に応じた最適の出力補正を行うことができる。このため、出力された合成画像データの画質を大幅に向上させることができる。
【００８７】
また、次に合成画像データが回線Ｉ／Ｆ部６２を介してＦＡＸ送信される場合の出力補正について説明する。
【００８８】
画像形成装置１００では、操作部５０により合成画像データをＦＡＸ送信する旨の操作が成された場合、画像補正部２７は画像合成部２８により合成された合成画像データをＦＡＸ送信に対応した画像データとする出力補正を行う。以下にＦＡＸ送信時の合成画像データの出力補正について説明する。
【００８９】
フィルタ処理では、合成画像データの鮮鋭性を、ＦＡＸ送信する場合の合成画像データの再現性がよくなるように調整する。
【００９０】
色変換処理では、合成画像データをＦＡＸ装置において一般的な単色（モノクロ）８ビットの画像データに変換する。
【００９１】
解像度変換処理では、色変換処理でモノクロ画像データとされた合成画像データを、ＦＡＸ装置で送受信可能な解像度に変換する。本実施例では、主走査が２００ｄｐｉ、副走査が１００ｄｐｉとなるように変換した。
【００９２】
ガンマ変換処理では、モノクロ画像データに変換された合成画像データのガンマ特性を、ＦＡＸ送信する場合に再現性が良くなるように調整する。例えば文字がはっきりと識別できるようにコントラストを高めにする調整を行っても良い。また、合成画像データが写真などの場合には、滑らかに階調表現できるように調整する。
【００９３】
中間調処理では、ＦＡＸ装置の中間調処理能力に基づいて中間調処理を行う。本実施例では、モノクロ８ビットの画像データを、擬似中間調処理の一つである誤差拡散法を用いて二値のデータとしても良い。
【００９４】
次に、合成画像データが外部Ｉ／Ｆ部６４を介してネットワーク接続された外部機器へスキャナ配信される場合の出力補正について説明する。
【００９５】
ここでいうスキャナ配信とは、画像形成装置１００に蓄積された画像データを、ネットワークを介して画像形成装置１００に接続された他の外部装置へ送信することを示す。このときの外部装置とは、例えばコンピュータなどである。このコンピュータに画像データを送信する場合は、複数の画像データを一度に送信出来ても良いし、画像形成装置１００から複数台のコンピュータに一度に送信出来ても良い。
【００９６】
画像形成装置１００では、操作部５０により合成画像データをスキャナ配信する旨の操作がなされた場合、画像補正部２７は、画像合成部２８により合成された合成画像データをスキャナ配信に対応した画像データとする出力補正を行う。以下にスキャナ配信時の合成画像データの出力補正について説明する。
【００９７】
フィルタ処理では、合成画像データの鮮鋭性を、スキャナ配信する場合の合成画像データの再現性がよくなるように調整する。
【００９８】
色変換処理では、合成画像データの色空間を指定された色空間に変換する。本実施例では指定された色空間をスキャナ配信で一般的なｓＲＧＢ色空間とした。ここでの合成画像データの色空間はＡｄｏｂｅＲＧＢとなっているので、これを各８ビットのｓＲＧＢへ変換する。
【００９９】
解像度変換処理では、合成画像データをスキャナ配信で送受信可能な解像度に変換する。本実施例では、主走査が２００ｄｐｉ、副走査が２００ｄｐｉとなるように変換した。
【０１００】
ガンマ変換処理では、合成画像データのガンマ特性を、スキャナ配信する場合に再現性が良くなるように調整する。本実施例では、この場合の合成画像データはｓＲＧＢ色空間の画像データとなっており、既に規格化された色空間にマッチングされているため、ガンマ変換は行われない。
【０１０１】
中間調処理では、スキャナ配信で送受信される中間調処理能力に基づいて中間調処理を行う。本実施例では、ｓＲＧＢ規格においてＲＧＢ各８ビットの１６万色が指定されているため、階調の調整は行わない。
【０１０２】
また、本実施例のＳ４２における色空間の補正において、色空間の補正と合わせて特定の色を補正する処理を行うことにより、合成後の出力画像の特定部分を目立たせることができる。
【０１０３】
例えば画像補正部２７は、Ｓ４２において、画像データ２に対し、色空間変換処理と合わせて黒の画像データを赤の画像データに置き換える処理を行う。このときの置き換えられる色は、例えばＳ４１において画像合成の指示が出されたときに、ユーザにより決定されても良い。
【０１０４】
このように画像データ毎に独立して色を調整することにより、合成画像データを出力する際に的確にユーザの要求に対応することができる。
【０１０５】
以上に説明したように、本実施例では、画像形成装置１００に蓄積された画像データ及びこれを合成した合成画像データを再出力する際に、再出力時における要求の変更に画像データ毎に対応でき、かつ最適な補正を行うことができる。また、画像形成装置１００は、合成画像データの出力方法に応じた出力補正を行うことができる。また、本実施例では、二つの画像データを合成する前に、それぞれの画像データを独立して補正することができるので、画像データを合成する際にユーザの要求に応じた合成画像データを生成することができる。
【０１０６】
以上で実施例１の説明を終了する。次いで、実施例２乃至実施例６について説明する。実施例１を含む各実施例は、Ｓ４２の処理によって分類している。
【０１０７】
つまり、Ｓ４２において画像補正部２７が行う処理が、画像データ２を補正して画像データ１と合わせる処理を行う場合が実施例２である。Ｓ４２におけて画像補正部２７が行う処理が、画像データ１と画像データ２のそれぞれを補正し、両者が適正に合成されるようにする処理である場合が実施例３乃至実施例６である。
【実施例２】
【０１０８】
以下に本発明の実施例２について説明する。実施例２では、実施例１と同様の構成を有する画像形成装置１００において、図５のＳ４２とＳ４４で行われる処理が実施例１と異なる。よって、実施例２ではＳ４２とＳ４４における処理についてのみ説明し、画像形成装置１００を構成する各部については実施例１と同様の符号を用い、その説明を省略する。
【０１０９】
以下に本実施例のＳ４２における処理の詳細を説明する。図８は、実施例２の画像補正部２７における画像データの補正を説明する図の例である。
【０１１０】
本実施例では、画像データ１の空間周波数特性を補正して画像データ２と合わせる補正を行う。
【０１１１】
画像補正部２７は、Ｓ４２において画像データ１に対しフィルタ処理を施し、画像データ１の空間周波数特性を画像データ２と一致するように補正する。ここで行われるフィルタ処理とは、例えば画像データ１の鮮鋭性やＳＮ比を調整する。具体的には、例えば画像データ１が文書データであった場合には、文字をくっきりと再現するために鮮鋭化処理を行っても良い。また、画像データ１が写真などであった場合には、滑らかに階調性を表現するために平滑化処理を行っても良い。
【０１１２】
この空間周波数特性の補正により、画像データ１は画像データ１Ａとなる。画像データ１Ａは、画像補正部２７で補正された後一端ＨＤＤ４０に格納されても良い。
【０１１３】
このようにして補正された画像データ１Ａと画像データ２は、ＣＰＵ２２によりＨＤＤ４０からメモリ２４上に読み出され、Ｓ４３において画像合成部２８により合成される。尚、本実施例では、Ｓ４３の合成処理において、画像データ２の上に画像データ１Ａを上書きして合成するものとした。
【０１１４】
次に本実施例のＳ４４における処理の詳細を説明する。図９は、実施例２の画像補正部２７における合成画像データの出力補正を説明する図の例である。以下の説明では、合成画像データが出力部３０より印刷出力される場合の出力補正について説明する。
【０１１５】
画像合成部２７における出力補正では、Ｓ４２において画像データ１Ａにフィルタ処理が施されており、画像データ２は、コンピュータから取得された画像データであり、フィルタ処理は不要であるため、ここではフィルタ処理は行わない。
【０１１６】
また、本実施例において、画像補正部２７におけるフィルタ処理以降の色変換処理から中間調処理においては実施例１と同様であるから説明を省略する。
【０１１７】
画像データ１Ａと画像データ２が合成された合成画像データは、出力補正が施された画像データ３となる。画像データ３が、画像形成装置１００から出力される画像データとなる。
【０１１８】
このように、合成画像データの出力時に出力補正を行うことで、合成画像データの出力方法に応じた最適の出力補正を行うことができる。このため、出力された合成画像データの画質を大幅に向上させることができる。
【０１１９】
また、本実施例における合成画像データがＦＡＸ送信される場合の出力補正及びスキャナ配信される場合の出力補正についても、印刷出力される場合の出力補正と同様にフィルタ処理が行われない以外は実施例１と同様である。よってここでの説明は省略する。
【実施例３】
【０１２０】
以下に本発明の実施例３について説明する。実施例３では、実施例１と同様の構成を有する画像形成装置１００において、図５のＳ４２とＳ４４で行われる処理が実施例１と異なる。よって、実施例３ではＳ４２とＳ４４における処理についてのみ説明し、画像形成装置１００を構成する各部については実施例１と同様の符号を用い、その説明を省略する。
【０１２１】
以下に本実施例のＳ４２における処理の詳細を説明する。図１０は、実施例３の画像補正部２７における画像データの補正を説明する図の例である。
【０１２２】
本実施例では、画像データ１と画像データ２の解像度を補正して両者が適正に合成されるようにする。本実施例では、画像データ１と画像データ２の解像度を所定の解像度に合わせる補正を行った。
【０１２３】
画像補正部２７は、Ｓ４２において画像データ１と画像データ２の解像度を所定の解像度へ変換する処理を行う。本実施例では所定の解像度を例えば６００ｄｐｉとし、所定の解像度に変換された画像データ１を画像データ１Ｂ、所定の解像度に変換された画像データ２を画像データ２Ｂとした。この画像データ１Ｂと画像データ２Ｂは、一端ＨＤＤ４０に格納されても良い。
【０１２４】
ここで補正された画像データ１Ｂと画像データ２Ｂは、ＣＰＵ２２によりＨＤＤ４０からメモリ２４上に読み出され、Ｓ４３において画像合成部２８により合成される。尚、本実施例では、Ｓ４３の合成処理において、画像データ１Ｂの上に画像データ２Ｂを上書きして合成するものとした。
【０１２５】
次に本実施例のＳ４４における処理の詳細を説明する。図１１は、実施例３の画像補正部２７における合成画像データの出力補正を説明する図の例である。
【０１２６】
画像合成部２７における出力補正では、Ｓ４２において画像データ１と画像データ２の解像度は印刷出力に最適な解像度に変更されているため、解像度変換処理は行われず、それ以外の処理が、フィルタ処理、色変換処理、ガンマ変換処理、中間調処理の順に行われる。本実施例における解像度変換処理以外の処理は実施例１と同様であるから説明を省略する。
【０１２７】
画像データ１Ｂと画像データ２Ｂが合成された合成画像データは、出力補正が施された画像データ３となる。画像データ３が、画像形成装置１００から出力される画像データとなる。
【０１２８】
このように、合成画像データの出力時に必要に応じて出力補正を行うことで、合成画像データの出力方法に応じた最適の出力補正を行うことができる。このため、出力された合成画像データの画質を大幅に向上させることができる。
【０１２９】
また、本実施例における合成画像データがＦＡＸ送信される場合について説明する。
【０１３０】
本実施例において合成画像データがＦＡＸ送信される場合、Ｓ４２において画像データ１と画像データ２の解像度は、ＦＡＸ送信に最適な解像度に変換される。本実施例では、このときの解像度を主走査２００ｄｐｉ、副走査１００ｄｐｉに変換するものとした。
【０１３１】
また、合成画像データがＦＡＸ送信される場合の出力補正は、解像度変換処理が行われない点を除き、実施例１と同様であるから説明を省略する。
【０１３２】
次に、本実施例における合成画像データがスキャナ配信される場合について説明する。
【０１３３】
本実施例において合成画像データがスキャナ配信される場合、Ｓ４２において画像データ１と画像データ２の解像度は、スキャナ配信に最適な解像度に変換される。本実施例では、このときの解像度を２００ｄｐｉに変換するものとした。
【０１３４】
また、合成画像データがスキャナ配信される場合の出力補正は、解像度変換処理が行われない点を除き、実施例１と同様であるから説明を省略する。
【０１３５】
本実施例では、合成される画像データ１と画像データ２の解像度をそれぞれ独立して指定の解像度となるように調整することができるので、印刷出力時、ＦＡＸ送信時、スキャナ配信時のそれぞれにおいて、ユーザの手を煩わせることなく最適な合成画像データとすることができる。
【実施例４】
【０１３６】
以下に本発明の実施例４について説明する。実施例４では、実施例１と同様の構成を有する画像形成装置１００において、図５のＳ４２とＳ４４で行われる処理が実施例１と異なる。よって、実施例４ではＳ４２とＳ４４における処理についてのみ説明し、画像形成装置１００を構成する各部については実施例１と同様の符号を用い、その説明を省略する。
【０１３７】
以下に本実施例のＳ４２における処理の詳細を説明する。図１２は、実施例４の画像補正部２７における画像データの補正を説明する図の例である。
【０１３８】
本実施例では、画像データ１と画像データ２の濃度を補正して両者が適正に合成されるようにする。本実施例では、画像データ１と画像データ２の濃度を所定の濃度に合わせる補正を行った。
【０１３９】
尚このときの所定の濃度とは、例えばユーザにより設定された濃度でも良く、この濃度は、例えばＳ４１において、ユーザにより画像を合成する旨の指示が出される際に、同時に設定されても良い。または設定保持部７０において予め設定された濃度に関する情報が保持されていても良い。
【０１４０】
画像補正部２７は、Ｓ４２においてガンマ変換処理により画像データ１と画像データ２の濃度を所定の濃度へ変換する処理を行う。本実施例では、所定の濃度に変換された画像データ１を画像データ１Ｃ、所定の濃度に変換された画像データ２を画像データ２Ｃとした。この画像データ１Ｃと画像データ２Ｃは、一端ＨＤＤ４０に格納されても良い。
【０１４１】
ここで補正された画像データ１Ｃと画像データ２Ｃは、ＣＰＵ２２によりＨＤＤ４０からメモリ２４上に読み出され、Ｓ４３において画像合成部２８により合成される。尚、本実施例では、Ｓ４３の合成処理において、画像データ１Ｃの上に画像データ２Ｃを上書きして合成するものとした。
【０１４２】
次に本実施例のＳ４４における処理の詳細を説明する。図１３は、実施例４の画像補正部２７における合成画像データの出力補正を説明する図の例である。ここでの出力補正は、実施例１と同様の処理であるから説明を省略する。
【０１４３】
また、本実施例における合成画像データがＦＡＸ送信される場合には、Ｓ４２において画像データ１と画像データ２の濃度は、ＦＡＸ送信に最適な濃度となるよう、濃度を濃くするように変換されても良い。また、合成画像データがＦＡＸ送信される場合の出力補正は、実施例１と同様であるから説明を省略する。
【０１４４】
さらに、本実施例における合成画像データがスキャナ送信される場合には、Ｓ４２において画像データ１と画像データ２の濃度は、スキャナ配信後に最適な濃度となるよう、濃度を濃くするように変換されても良い。また、合成画像データがスキャナ配信される場合の出力補正は、実施例１と同様であるから説明を省略する。
【０１４５】
本実施例では、合成される画像データ１と画像データ２の濃度をユーザの設定した濃度にそれぞれ独立して調整することができるので、印刷出力時、ＦＡＸ送信時、スキャナ配信時のそれぞれにおいて、ユーザの手を煩わせることなく最適な合成画像データとすることができる。
【０１４６】
また、本実施例のＳ４２におけるガンマ変換処理において、画像データ１と画像データ２の地肌レベルの調整を行っても良い。画像補正部２７は、Ｓ４２においてガンマ変換処理により画像データ１と画像データ２の地肌レベルを所定のレベルへ変換する処理を行っても良い。ここで言う所定の地肌レベルは、例えばＳ４１において、ユーザにより画像を合成する旨の指示が出される際に、同時に設定されても良い。または設定保持部７０において予め設定された地肌レベルに関する情報が保持されていても良い。
【０１４７】
合成される画像データ１と画像データ２の地肌レベルをユーザの設定した地肌レベルにそれぞれ独立して調整することができるので、印刷出力時、ＦＡＸ送信時、スキャナ配信時のそれぞれにおいて、ユーザの手を煩わせることなく最適な合成画像データとすることができ、さらは画質を向上させることができる。
【実施例５】
【０１４８】
以下に本発明の実施例５について説明する。実施例５では、実施例１と同様の構成を有する画像形成装置１００において、図５のＳ４２とＳ４４で行われる処理が実施例１と異なる。よって、実施例５ではＳ４２とＳ４４における処理についてのみ説明し、画像形成装置１００を構成する各部については実施例１と同様の符号を用い、その説明を省略する。
【０１４９】
本実施例のＳ４２では、画像データ１と画像データ２に対し、それぞれ異なる補正を行い、主に画像データ２を画像データ１にあわせる補正を行っている。以下に本実施例のＳ４２における処理の詳細を説明する。図１４は、実施例５の画像補正部２７における画像データ１の補正を説明する図の例である。
【０１５０】
画像補正部２７は、Ｓ４２において画像データ１に対してフィルタ処理を施し、画像データ１の空間周波数特性を画像データ２の空間周波数特性と一致するように補正する。この補正により画像データ１は画像データ１Ｄとなる。画像データ１Ｄは、一端ＨＤＤ４０に格納されても良い。
【０１５１】
次に画像補正部２７は、Ｓ４２において画像データ２に対して色変換処理と解像度変換処理を施し、画像データ２の色空間と解像度が画像データ１の色空間と解像度と一致するように補正する。図１５は、実施例５の画像補正部２７における画像データ２の補正を説明する図の例である。
【０１５２】
画像補正部２７では、まず画像データ２の色空間をｓＲＧＢ色空間からＡｄｏｂｅＲＧＢ色空間に変換する。次に画像データ２の解像度を６００ｄｐｉに変更する。画像データ２は、この補正により画像データ２Ｄとなる。画像データ２Ｄは一端ＨＤＤ４０に格納されても良い。
【０１５３】
ここで補正された画像データ１Ｄと画像データ２Ｄは、ＣＰＵ２２によりＨＤＤ４０からメモリ２４上に読み出され、Ｓ４３において画像合成部２８により合成される。尚、本実施例では、Ｓ４３の合成処理において、画像データ１Ｄの上に画像データ２Ｄを上書きして合成するものとした。
【０１５４】
次に本実施例のＳ４４における処理の詳細を説明する。図１６は、実施例５の画像補正部２７における合成画像データの出力補正を説明する図の例である。尚ここでは、合成画像データが出力部３０より印刷出力される場合の出力補正について説明する。
【０１５５】
本実施例では、Ｓ４２において画像データ１Ｄにフィルタ処理が施されており、画像データ２Ｄは、コンピュータから取得された画像データであって、フィルタ処理は不要であるため、ここではフィルタ処理は行わない。
【０１５６】
また、本実施例において、画像補正部２７におけるフィルタ処理以降の色変換処理から中間調処理においては実施例１と同様であるから説明を省略する。
【０１５７】
画像データ１Ｄと画像データ２Ｄが合成された合成画像データは、出力補正が施された画像データ３となる。画像データ３が、画像形成装置１００から出力される画像データとなる。
【０１５８】
このように、合成画像データの出力時に出力補正を行うことで、合成画像データの出力方法に応じた最適の出力補正を行うことができる。このため、出力された合成画像データの画質を大幅に向上させることができる。
【０１５９】
また、本実施例における合成画像データがＦＡＸ送信される場合の出力補正及びスキャナ配信される場合の出力補正についても、印刷出力される場合の出力補正と同様にフィルタ処理が行われない以外は実施例１と同様である。よってここでの説明は省略する。
【０１６０】
このように、本実施例の画像形成装置１００では、上記各実施例で説明した処理を組み合わせて画像データを補正し、合成画像データを生成することができる。さらに本実施例では、合成される各画像データにそれぞれ異なる処理を施して補正することができるので、合成される画像データをそれぞれ独立して補正することができる。
【実施例６】
【０１６１】
以下に本発明の実施例６について説明する。実施例６では、実施例１と同様の構成を有する画像形成装置１００において、図５のＳ４２とＳ４４で行われる処理が実施例１と異なる。よって、実施例６ではＳ４２とＳ４４における処理についてのみ説明し、画像形成装置１００を構成する各部については実施例１と同様の符号を用い、その説明を省略する。
【０１６２】
本実施例のＳ４２では、画像データ１と画像データ２に対し、それぞれ異なる補正を行い、主に画像データ１を画像データ２にあわせる補正を行っている。以下に本実施例のＳ４２における処理の詳細を説明する。図１７は、実施例６の画像補正部２７における画像データ１の補正を説明する図の例である。
【０１６３】
画像補正部２７は、Ｓ４２において画像データ１に対してフィルタ処理、色変換処理、解像度変換処理、ガンマ変換処理の順に処理を施し補正を行う。
【０１６４】
フィルタ処理において画像データ１の空間周波数特性を、画像データ２の空間周波数特性と一致するように補正する。色変換処理では、画像データ１の色空間はＡｄｏｂｅＲＧＢ色空間から画像データ２の色空間であるｓＲＧＢ色空間に変換される。解像度変換処理では、画像データ１の解像度は、出力部３０の性能に基づく所定の解像度に変換される。ここで所定の解像度とは６００ｄｐｉであり、画像データ１の解像度も６００ｄｐｉであるから、実際には解像度は変換されない。ガンマ変換処理では、画像データ１の濃度を画像データ２の濃度と一致する濃度に変換する。
【０１６５】
この補正により画像データ１は画像データ１Ｅとなる。画像データ１Ｅは、一端ＨＤＤ４０に格納されても良い。
【０１６６】
次に画像補正部２７は、Ｓ４２において画像データ２に対して解像度変換処理を施し、画像データ２の色解像度が画像データ１と解像度と一致するように補正する。図１８は、実施例６の画像補正部２７における画像データ２の補正を説明する図の例である。画像データ２の解像度は本実施例では６００ｄｐｉに変換される。この補正により画像データ２は画像データ２Ｅとなる。画像データ２Ｅは一端ＨＤＤ４０に格納されても良い。
【０１６７】
ここで補正された画像データ１Ｅと画像データ２Ｅは、ＣＰＵ２２によりＨＤＤ４０からメモリ２４上に読み出され、Ｓ４３において画像合成部２８により合成される。尚、本実施例では、Ｓ４３の合成処理において、画像データ２Ｅの上に画像データ１Ｅを上書きして合成するものとした。
【０１６８】
次に本実施例のＳ４４における処理の詳細を説明する。図１９は、実施例６の画像補正部２７における合成画像データの出力補正を説明する図の例である。尚ここでは、合成画像データが出力部３０より印刷出力される場合の出力補正について説明する。
【０１６９】
本実施例では、Ｓ４２において画像データ１Ｅにフィルタ処理が施されており、画像データ２Ｅは、コンピュータから取得された画像データであってフィルタ処理は不要であるため、ここではフィルタ処理は行わない。
【０１７０】
また本実施例では、Ｓ４２において画像データ１と画像データ２の解像度がそれぞれ一致するように補正を行っているため、Ｓ４４の出力補正では解像度変換処理は行わない。さらに本実施例ではＳ４２において画像データ１の濃度を画像データ２の濃度と一致するように補正を行っているため、Ｓ４４の出力補正ではガンマ変換処理を行わない。
【０１７１】
よって本実施例の出力補正で行われる処理は、色変換処理と中間調処理であり、これらの処理は実施例１と同様であるから説明は省略する。
【０１７２】
また、本実施例における合成画像データがＦＡＸ送信される場合には、Ｓ４２における画像データ１の解像度変換処理及び画像データ２の解像度変換処理において、それぞれの画像データの解像度を主走査２００ｄｐｉ、副走査１００ｄｐｉに変換すればよい。本実施例における合成画像データがスキャナ配信される場合の出力補正でも同様に、Ｓ４２における画像データ１の解像度変換処理及び画像データ２の解像度変換処理において、それぞれの画像データの解像度を２００ｄｐｉに変換すれば良い。
【０１７３】
また、本実施例において合成画像データがＦＡＸ送信される場合の出力補正及び合成画像データがスキャナ配信される場合の出力補正については、合成画像データが印刷出力される場合と同様に、色変換処理と中間調処理のみが行われる。この色変換処理と中間調処理については実施例１と同様であるから説明を省略する。
【０１７４】
このように、本実施例の画像形成装置１００では、上記各実施例で説明した処理を組み合わせて画像データを補正し、合成画像データを生成することができる。さらに本実施例では、合成される各画像データにそれぞれ異なる処理を施して補正することができるので、合成される画像データをそれぞれ独立して補正することができる。
【０１７５】
以上、各実施例に基づき本発明の説明を行ってきたが、上記実施例にあげた構成、順序その他の要素との組み合わせなど、ここで示した要件に本発明が限定されるものではない。これらの点に関しては、本発明の主旨をそこなわない範囲で変更することが可能であり、その応用形態に応じて適切に定めることができる。
【産業上の利用可能性】
【０１７６】
本発明は画像データを合成する画像形成装置に関する。
【図面の簡単な説明】
【０１７７】
【図１】本発明の画像形成装置１００の全体構成の一例を示す図である。
【図２】画像形成装置１００における画像データの蓄積を説明するフローチャートである。
【図３】実施例１の画像補正部２６における画像データの補正を説明する図である。
【図４】基準チャートのパターンの一例を示す図である。
【図５】画像形成装置１００における画像データの合成と、合成画像データの出力を説明するフローチャートである。
【図６】実施例１の画像補正部２７における画像データの補正を説明する図である。
【図７】実施例１の画像補正部２７における合成画像データの出力補正を説明する図である。
【図８】実施例２の画像補正部２７における画像データの補正を説明する図である。
【図９】実施例２の画像補正部２７における合成画像データの出力補正を説明する図である。
【図１０】実施例３の画像補正部２７における画像データの補正を説明する図である。
【図１１】実施例３の画像補正部２７における合成画像データの出力補正を説明する図である。
【図１２】実施例４の画像補正部２７における画像データの補正を説明する図である。
【図１３】実施例４の画像補正部２７における合成画像データの出力補正を説明する図である。
【図１４】実施例５の画像補正部２７における画像データ１の補正を説明する図である。
【図１５】実施例５の画像補正部２７における画像データ２の補正を説明する図である。
【図１６】実施例５の画像補正部２７における合成画像データの出力補正を説明する図である。
【図１７】実施例６の画像補正部２７における画像データ１の補正を説明する図である。
【図１８】実施例６の画像補正部２７における画像データ２の補正を説明する図である。
【図１９】実施例６の画像補正部２７における合成画像データの出力補正を説明する図である。
【符号の説明】
【０１７８】
１０  読取り部
２０  画像処理制御部
２２  ＣＰＵ
２６、２７  画像補正部
２８  画像合成部
３０  出力部
３４  プロッタ部
４０  ハードディスク（ＨＤＤ）
５０  操作部
６０  通信部
１００  画像形成装置
【図１】
2008017046.tif 000003
【図２】
2008017046.tif 000004
【図３】
2008017046.tif 000005
【図４】
2008017046.tif 000006
【図５】
2008017046.tif 000007
【図６】
2008017046.tif 000008
【図７】
2008017046.tif 000009
【図８】
2008017046.tif 000010
【図９】
2008017046.tif 000011
【図１０】
2008017046.tif 000012
【図１１】
2008017046.tif 000013
【図１２】
2008017046.tif 000014
【図１３】
2008017046.tif 000015
【図１４】
2008017046.tif 000016
【図１５】
2008017046.tif 000017
【図１６】
2008017046.tif 000018
【図１７】
2008017046.tif 000019
【図１８】
2008017046.tif 000020
【図１９】
2008017046.tif 000021